(57)【特許請求の範囲】
【請求項１】
航空機（１２０）で使用するように設定された複数のコンポーネント（１１８）のための設計（１１６）を記憶するコンポーネントデータベース（１１２）と、
所望の種類の無線信号伝播（１２４）のために選択された材料（１２２）を記憶する材料データベース（１１４）と、
前記航空機（１２０）の異なる目的のための複数の無線ネットワーク（１４０）のための設定（１５４）を特定し、前記複数の無線ネットワーク（１４０）に対して所望の無線信号伝播をもたらす前記複数の無線ネットワーク（１４０）の複数の境界（１５５）を選択し、前記コンポーネントデータベース（１１２）の前記設計（１１６）から複数のコンポーネント（１１８）用の設定（１５６）を選択し、前記複数のコンポーネント（１１８）用の複数の材料（１２２）を選択して、前記複数の無線ネットワーク（１４０）の前記複数の境界（１５５）を形成するように設定された境界設計器（１０２）と
を備える航空機設計システム（１０４）。
【請求項２】
前記境界設計器（１０２）が、前記複数の無線ネットワーク（１４０）間での無線信号の所望の分離及び無線信号の所望の最適化と、１つの無線ネットワーク内における前記無線信号の所望の最適化とのうちの少なくとも１つを設定するように、前記複数の境界（１５５）を選択するようにさらに設定されている、請求項１に記載の航空機設計システム。
【請求項３】
前記境界設計器（１０２）が、前記無線ネットワーク（１４０）を含む航空機（１２０）の航空機設計（１０８）を受取るように設定されており、前記航空機設計（１０８）を使用して前記複数の無線ネットワーク（１４０）のために前記所望の無線信号伝播をもたらす前記複数の無線ネットワーク（１４０）の前記複数の境界（１５５）を選択し、前記複数の無線ネットワーク（１４０）の１つの無線ネットワークが、客室ネットワーク（１４２）、航空電子機器ネットワーク（１４４）、操縦室ネットワーク（１４６）、及び貨物室ネットワーク（１４８）のうちの１つから選択されている、請求項１又は２に記載の航空機設計システム（１０４）。
【請求項４】
前記コンポーネントデータベース（１１２）内の１つのコンポーネントが、パネル（３００）、絶縁ブラケット（３０２）、ガスケット（３０４）、シュラウド（３０６）、カーペット（３０８）、格子（３１０）、ケージ（３１２）、高周波開口部（３１４）、アップリケ（３１６）、カーテン（３２０）、容積吸収体（３２４）、グリッド（３２６）、ファブリック（３２８）、コーティング（３３０）、及びプレート（３３２）のうちの１つから選択され、前記コンポーネント（１１８）が、客室壁（４００）、隔壁（４０６）、クローゼット（４０８）、化粧室（４１０）、天井（４１２）、床（４２０）、間仕切り（４２２）、収納庫（４１４）、乗客シート（４１６）、及び調理室（４１８）のうちの少なくとも１つから選択される構造物（１２５）に使用されるように設定されている、請求項１〜３のいずれか一項に記載の航空機設計システム（１０４）。
【請求項５】
前記材料データベース（１１４）内の１つの材料が、反射、透過、吸収、選択的反射、選択的透過、及び選択的吸収から選択されたいずれかの種類の伝播を有し、且つ前記材料データベース（１１４）内の１つの材料が、導電性材料、抵抗性材料、及び中性材料のうちの１つから選択される、請求項１〜４のいずれか一項に記載の航空機設計システム（１０４）。
【請求項６】
航空機（１２０）を設計するための方法であって、
前記航空機（１２０）の異なる目的のための複数の無線ネットワーク（１４０）用の設定（１５４）を特定することと、
前記複数の無線ネットワーク（１４０）に対して所望の無線信号伝播をもたらす前記複数の無線ネットワーク（１４０）用の複数の境界（１５５）を選択することと、
コンポーネントデータベース（１１２）内の設計（１１６）から前記複数のコンポーネント（１１８）用の設定（１５６）を、材料データベース（１１４）から複数のコンポーネント（１１８）用の複数の材料（１２２）を、それぞれ選択して、前記複数の無線ネットワーク（１４０）の前記複数の境界（１５５）を形成することと
を含む方法。
【請求項７】
前記複数の無線ネットワーク（１４０）間での前記無線信号の所望の分離及び前記無線信号の所望の最適化と、１つの無線ネットワーク内における前記無線信号の所望の最適化とのうちの少なくとも１つを設定する前記複数の無線ネットワーク（１４０）の前記複数の境界（１５５）を選択することをさらに含み、前記複数の境界（１５５）が、前記所望の無線信号伝播がエリア内にある前記複数の無線ネットワーク（１４０）の複数のエリア（１３０）を形成する、請求項６に記載の方法。
【請求項８】
前記無線ネットワーク（１４０）を含む前記航空機（１２０）の航空機設計（１０８）を受取ることをさらに含み、
前記無線ネットワーク（１４０）に対して前記所望の無線信号伝播をもたらす前記複数の無線ネットワーク（１４０）の前記複数の境界（１５５）を選択することが、
前記航空機設計（１０８）を使用して、前記複数の無線ネットワーク（１４０）のために所望の無線信号伝播をもたらす前記複数の無線ネットワーク（１４０）の前記複数の境界（１５５）を選択することを含む、
請求項６又は７に記載の方法。
【請求項９】
前記コンポーネントデータベース（１１２）内の１つのコンポーネントが、パネル（３００）、絶縁ブラケット（３０２）、ガスケット（３０４）、シュラウド（３０６）、カーペット（３０８）、格子（３１０）、ケージ（３１２）、高周波開口部（３１４）、アップリケ（３１６）、カーテン（３２０）、容積吸収体（３２４）、グリッド（３２６）、ファブリック（３２８）、コーティング（３３０）、及びプレート（３３２）のうちの１つから選択され、且つ複数のコンポーネント（１１８）が、客室壁（４００）、隔壁（４０６）、クローゼット（４０８）、化粧室（４１０）、天井（４１２）、床（４２０）、間仕切り（４２２）、収納庫（４１４）、乗客シート（４１６）、及び調理室（４１８）のうちの少なくとも１つから選択される構造物（１２５）に使用されるように設定される、請求項６〜８のいずれか一項に記載の方法。
【請求項１０】
前記材料データベース（１１４）内の１つの材料が、反射、吸収、透過、選択的反射、選択的吸収、及び選択的透過から選択されたいずれかの種類の伝播を有し、且つ前記材料データベース（１１４）内の１つの材料が、導電性材料、抵抗性材料、及び中性材料のうちの１つから選択される、請求項６〜９のいずれか一項に記載の方法。
【発明の詳細な説明】
【技術分野】
【０００１】
本発明は概して航空機に関し、具体的には航空機の設計に関する。さらに具体的には、本発明は、航空機内装の無線ネットワークの境界を設計するための方法と装置に関する。
【背景技術】
【０００２】
航空機の設計及び製造では、航空機の重量を軽減することが望ましい。重量の軽減は多くの場合、燃料及びその他のコストの削減をもたらす。種々のデバイス間の配線は、所望以上に重量の増加をもたらすことがある。その結果、航空機では種々のシステム用に無線ネットワークが導入されてきた。例えば、種々のセンサのデータをコンピュータシステムに送信するため、無線ネットワークが実装されることがある。無線ネットワークのセンサは、空気圧センサ、温度センサ、アクチュエータ用位置センサ、及び他の好適な種類のセンサを含む。
【０００３】
航空機内には、航空機内の照明を制御する別の無線ネットワークが存在することがある。さらに、別の無線ネットワークは、航空機の環境システム用のデバイスを含むことがある。無線ネットワークのアクセスポイントは、インターネットへアクセスする乗客が使用できるように客室内部又は周辺にあってもよい。このような種類の又は他の種類のネットワークは航空機に必要となる配線の量を低減することができる。
【０００４】
しかしながら、航空機の複数の無線ネットワークの性能は、所望どうりのものではないこともある。例えば、２つ以上の無線ネットワークが航空機内に存在する場合には、無線ネットワークによって送信される無線信号は互いに干渉し合い、所望の性能を低下させることがある。干渉は信頼性を低下させ、無線信号の伝播距離を縮め、又は他の好ましくない影響を引き起こすことがある。その結果、性能低下に配慮して付加的な無線デバイスが追加されることがある。しかしながら、デバイスの追加は、所望以上に航空機の重量を増加させることがある。
【０００５】
したがって、上述した問題の少なくとも一部と、起こりうる他の問題とを考慮する方法と装置を有することが望ましい。
【発明の概要】
【０００６】
１つの例示的な実施形態では、航空機設計システムは、航空機で使用するように設定されるコンポーネント用の設計を有するコンポーネントデータベース、所望の種類の無線信号伝播用に選択される材料を有する材料データベース、及び境界設計器を備えている。境界設計器は、航空機の無線ネットワークの設定を特定するように、設定されている。境界設計器は、無線ネットワーク用の無線信号を所望のとおりに伝播する無線ネットワークのための複数の境界を選択するように、さらに設定されている。境界設計器は、コンポーネントデータベース内の設計から複数のコンポーネント用の設定を選択し、且つ複数のコンポーネント用の複数の材料を選択して、無線ネットワークの複数の境界を形成するように、さらに設定されている。
【０００７】
別の例示的な実施形態では、最適化された無線信号伝播チャネルを提供するため、航空機を設計する方法が提示されている。無線ネットワーク用の無線信号を所望のとおりに伝播する無線ネットワークのため、複数の境界が選択されている。コンポーネントデータベース内の設計から複数のコンポーネント用の設定が選択され、且つ材料データベースから複数のコンポーネント用の複数の材料が選択されて、無線ネットワークの複数の境界が形成される。
【０００８】
さらに別の例示的な実施形態では、航空機無線ネットワークシステムは、航空機内に複数のコンポーネントを備えている。複数のコンポーネントは、航空機の無線ネットワークのデバイス間の無線信号を所望のとおりに伝播する航空機内の複数の境界を形成するように選択された設定を有し、材料を備えている。
【０００９】
さらに別の実施形態では、航空機内で無線ネットワークのための設定が特定されている。複数の無線システムが、特定のシステム又は応用に対して特定の航空機の内装を「調整する」目的で、境界に適用される。実現される技術的効果は、搭載される無線システムの性能向上である。
【００１０】
特徴及び機能は、本発明の様々な実施形態で独立に実現することが可能であるか、以下の説明及び図面を参照してさらなる詳細が理解されうる、さらに別の実施形態で組み合わせることが可能である。
【００１１】
例示的な実施形態の特徴と考えられる新規の機能は、添付の特許請求の範囲に明記される。しかしながら、例示的な実施形態と、好ましい使用モードと、さらにはその目的及び特徴とは、添付図面を参照して本発明の例示的な実施形態の後述の詳細な説明を読むことにより最もよく理解されるであろう。
【図面の簡単な説明】
【００１２】
【図１】例示的な実施形態による航空機設計環境のブロック図である。
【図２】例示的な実施形態による所望の種類の無線信号伝播のブロック図である。
【図３】例示的な実施形態によるコンポーネントデータベースのブロック図である。
【図４】例示的な実施形態による構造物の実施例のブロック図である。
【図５】例示的な実施形態による材料データベースのブロック図である。
【図６】例示的な実施形態によって無線ネットワークが使用される航空機内装領域の図である。
【図７】例示的な実施形態による航空機の客室の図である。
【図８】例示的な実施形態による胴体の断面の図である。
【図９】例示的な実施形態によるパネルの図である。
【図１０】例示的な実施形態によるパネルの別の図である。
【図１１】例示的な実施形態によって信号を反射する構造物と共に使用されるコンポーネントの図である。
【図１２】例示的な実施形態による所望の種類の無線信号伝播を得るために使用されるコンポーネントの図である。
【図１３】例示的な実施形態による境界を形成するため壁で使用されるコンポーネントの図である。
【図１４】例示的な実施形態による境界を形成するために使用されるコンポーネントの別の図である。
【図１５】例示的な実施形態による航空機の設計のためのプロセスのフロー図である。
【図１６】例示的な実施形態による航空機の複数の境界を選択するためのプロセスのフロー図である。
【図１７】例示的な実施形態によるコンポーネントデータベース内の設計からコンポーネントを設定するためのプロセスのフロー図である。
【図１８】例示的な実施形態によるデータ処理システムの図である。
【図１９】例示的な実施形態による航空機の製造及び保守方法の図である。
【図２０】例示的な実施形態を実装しうる航空機の図である。
【発明を実施するための形態】
【００１３】
例示的な実施形態は、一又は複数の検討事項を認識し、且つ考慮している。例示的な実施形態は、種々のネットワークに対して特定のチャネルを選択することによって、複数の無線ネットワーク間の干渉が軽減されうることを認識し、且つ考慮している。各チャネルは特定の周波数帯に割り当てることができる。このように、客室設計の改良は、種々の無線ネットワーク間の干渉を軽減する。客室設計の技術的な効果は無線信号の計画的な経路で、これによって混信を減らし、全般的な無線性能と完全性が高められる。
【００１４】
例示的な実施形態は、チャネルの数が制限されうることを認識し、且つ考慮している。さらに、一部のチャネルは他のチャネルと重なることがある。その結果、無線ネットワークの設計では、種々の無線ネットワーク間のチャネルの分離を大きくすることが望ましい。その結果、一部のチャネルは場合によっては使用されないことがある。種々の無線ネットワークに対して異なるチャネルを選択することは有用であるが、チャネルが異なることによって無線ネットワークの設計並びに無線ネットワークの保守の実施が複雑になることがある。
【００１５】
したがって、一又は複数の例示的な実施形態は、航空機設計システムのための方法及び装置を提供する。１つの例示的な実施例では、航空機設計システムは構造物データベース、材料データベース、及び境界設計器を備えている。構造物データベースは、航空機で使用するように設定される構造物のための設計を有する。材料データベースは、所望の種類の無線信号伝播用に選択される材料を有する。境界設計器は、航空機の無線ネットワークのための設定を特定し、無線ネットワーク用の無線信号を所望のとおりに伝播する無線ネットワークのための複数の境界を選択し、構造物データベースの設計から複数の構造物の設定を選択し、複数のネットワークのための複数の境界を形成するため、複数の構造物のための材料を選択するように設定されている。
【００１６】
ここで図面、特に図１を参照すると、例示的な実施形態による航空機設計環境のブロック図が描かれている。この図解されている実施例では、航空機設計環境１００は航空機設計システム１０４を含む。航空機設計システム１０４の境界設計器１０２は、これらの例示的な実施例の航空機設計１０８と共に使用される境界設計１０６を作成するように使用されることがある。境界設計１０６は、この例示的な実施例では航空機設計１０８の一部又は航空機設計１０８から分離された設計であってもよい。
【００１７】
図示されているように、境界設計器１０２を伴う航空機設計システム１０４はコンピュータシステム１１０に実装することができる。コンピュータシステム１１０は、一又は複数のコンピュータを備えている。複数のコンピュータが存在する場合には、これらのコンピュータはネットワークなどの媒体を使用して相互に通信することができる。
【００１８】
この例示的な実施例では、航空機設計システム１０４の境界設計器１０２及び他のコンポーネントは、ソフトウェア、ハードウェア、またはその二つの組み合わせで実装される。ソフトウェアが使用される場合には、航空機設計システム１０４のコンポーネントによって実施される操作は、プロセッサユニットで実行されるプログラムコードに実装することができる。ハードウェアが採用される場合には、ハードウェアは航空機設計システム１０４のコンポーネントに対する操作を実施するように動作する回路を含むことができる。
【００１９】
このような例示的な実施例では、ハードウェアは回路システム、集積回路、特定用途向け集積回路（ＡＳＩＣ）、プログラマブル論理デバイス、又は複数の操作を実施するように設定された他の好適な種類のハードウェアの形態をとってもよい。プログラマブル論理デバイスにより、デバイスは複数の操作を実施するように設定されている。このデバイスはその後再設定すること、又は複数の操作を実施するために永続的に設定することができる。プログラマブル論理デバイスの例は、例えば、限定しないが、プログラマブル論理アレイ、プログラマブルアレイロジック、フィールドプログラマブルロジックアレイ、フィールドプログラマブルゲートアレイ、及び他の好適なハードウェアデバイスを含む。加えて、このプロセスは無機コンポーネントと組み合わせられた有機コンポーネントを含むことができ、及び／又は人間を除く有機コンポーネントを完全に含むことができる。
【００２０】
加えて、航空機設計システム１０４はまた、コンポーネントデータベース１１２及び材料データベース１１４を含む。コンポーネントデータベース１１２は、航空機１２０の胴体１２８内部で使用するように設定されるコンポーネント１１８用の一群の設計１１６である。コンポーネント１１８は胴体１２８内の構造物１２５を形成するように設定される。加えて、コンポーネント１１８はまた、構造物１２５の構造物にコンポーネントを追加するように、又は構造物１２５の既存の構造物を補うように使用することができる。他の実施例では、コンポーネント１１８の１つのコンポーネントは、コンポーネント１１８の他のコンポーネントを必要とすることなく、構造物１２５の１つの構造物を実際に形成することができる。
【００２１】
材料データベース１１４は所望の種類の無線信号伝播１２４用に選択される材料１２２を含む。材料１２２は、コンポーネント１１８に所望の種類の無線信号伝播１２４を提供するため、コンポーネント１１８の設計１１６に使用されることがある。
【００２２】
これらの例示的な実施例では、航空機１２０のための航空機設計１０８は、航空機１２０のための境界設計１０６を作成するため、境界設計器１０２への入力として使用されることがある。これらの例示的な実施例では、航空機設計１０８は胴体１２８を含む。胴体１２８内にはエリア１３０が存在する。これらの例示的な実施例では、エリア１３０は客室エリア１３２、上部エリア１３３、乗務員エリア１３４．貨物エリア１３６、操縦室１３８、及び他の好適な種類のエリアのうちの少なくとも１つを含みうる。
【００２３】
本明細書で使用しているように、列挙されたアイテムと共に使用される「〜のうちの少なくとも１つ」という表現は、列挙されたアイテムの一又は複数の様々な組み合わせが使用可能であり、且つ列挙されたアイテムのいずれかが１つだけあればよいということを意味する。例えば、「アイテムＡ、アイテムＢ、及びアイテムＣのうちの少なくとも１つ」は、例えば、限定しないが、「アイテムＡ」、又は「アイテムＡとアイテムＢ」を含む。この例は、「アイテムＡとアイテムＢとアイテムＣ」、又は「アイテムＢとアイテムＣ」も含む。他の例として、「〜のうちの少なくとも１つ」は、例えば、限定しないが、「２個のアイテムＡと１個のアイテムＢと１０個のアイテムＣ」、「４個のアイテムＢと７個のアイテムＣ」、並びに他の適切な組み合わせを含む。
【００２４】
客室エリア１３２は乗客が配置されるエリアである。上部エリア１３３は客室エリア１３２の上部のエリアである。乗務員エリア１３４は乗務員が休息できるエリアである。貨物エリア１３６は貨物が保管されるエリアである。操縦室１３８は航空機乗務員が航空機を操作するエリアである。
【００２５】
これらの例示的な実施例では、航空機設計１０８はまた胴体１２８内の無線ネットワーク１４０を含む。これらの例示的な実施例では、無線ネットワーク１４０は、客室ネットワーク１４２、航空電子機器ネットワーク１４４、操縦室ネットワーク１４６、貨物室ネットワーク１４８、照明制御ネットワーク１５０、環境制御ネットワーク１５０、環境制御ネットワーク１５２、及び他の好適な種類のネットワークのうちの少なくとも１つを含むことがある。
【００２６】
別の例示的な実施例では、境界設計器１０２は選択されるコンポーネントから設定を自動的に特定することが可能で、又境界設計器１０２はコンポーネントデータベース１１２と材料データベース１１４を自動的に相互参照することができる。これらのデータベースの一又は複数は基本的な航空機構造物を含むことがあり、これによって互換性のない要素を生成される設定に対して追加すること、除外すること、及びその双方をより迅速に行うことができる。
【００２７】
これらの例示的な実施例では、境界設計器１０２は、航空機設計１０８において航空機１２０用の無線ネットワーク１４０の設定１５４を特定するように設定されている。境界設計器１０２はまた、無線ネットワーク１４０に所望の種類の無線信号伝播１２４を提供する無線ネットワーク１４０用の複数の境界１５５を選択するように設定されることもある。すなわち、無線ネットワーク１４０用の複数の境界１５５は、無線ネットワーク１４０の無線性能と完全性を高めることができる。
【００２８】
さらに、境界設計器１０２は、境界設計１０６のための複数のコンポーネント１１８の設定１５６を特定するように設定されている。複数のコンポーネント１１８の設定１５６は、複数の境界１５５を形成するように使用される。すなわち、複数の境界１５５はコンポーネント１１８の設定１５６を含むことがある。加えて、複数の境界１５５は、具体的な実装に応じて、航空機１２０の他の構造物を含むことができる。
【００２９】
これらの例示的な実施例では、境界設計１０６の設定１５６は、コンポーネント１１８の設定、胴体１２８内の相互のコンポーネント１１８の設定、または両方の組合せであってもよい。加えて、境界設計器１０２は、無線ネットワーク１４０の複数の境界１５５を形成するように使用される複数のコンポーネント１１８の複数の材料１２２を選択するように設定されてもよい。コンポーネント１１８の材料１２２の選択は、設定１５６の一部である。これらの例示的な実施例では、コンポーネント１１８の設定１５６のために選択される材料１２２は、コンポーネント１１８が所望の種類の無線信号伝播１２４を有するように選択されてもよい。
【００３０】
複数の境界１５５は、無線ネットワーク１４０のために胴体１２８内にエリア１３０を定義するように設定されることがある。エリア１３０は、無線信号が所望の方法で無線ネットワーク１４０内の種々のネットワークのために伝播するエリアとなることがある。すなわち、エリア１３０は、エリア外のネットワークからの信号によって引き起こされる干渉が減弱されるエリアとなることができる。例えば、エリア１３０内のエリアは１つのネットワークの複数の境界１５５によって画定され、一方、エリア１３０内の別のエリアは無線ネットワーク１４０の別のネットワークの複数の境界１５５によって画定されることがある。
【００３１】
さらに、複数の境界１５５はまた、無線ネットワーク１４０の無線ネットワーク間で無線信号を所望のとおりに分離するように設定可能である。無線ネットワーク１４０の無線ネットワーク間の無線信号の分離は、無線ネットワーク１４０の別の無線ネットワークからの好ましくないアクセスを回避するように実施可能である。すなわち、無線信号１６２の分離は、第１の無線ネットワーク用の第１エリアに配置されているデバイスから第２の無線ネットワーク用の第２エリアのデバイスにアクセスが不可となるような方法で行うことができる。
【００３２】
加えて、境界設計器１０２は、航空機１２０で無線信号１６２のシミュレーション１６０の複雑さを軽減するような方法で境界設計１０６を作成することができる。例えば、複数の境界１５５は、無線信号１６２の伝播のシミュレーションをさらに複雑にするコンポーネントを有する胴体１２８内の不要エリア１６６を分離するように設定可能である。
【００３３】
１つの例示的な実施例では、上部エリア１３３の不要エリア１６６又は客室エリア１３２の床下は、膨大な量の複雑な幾何形状と材料を有することがある。例えば、様々な構造物コンポーネント、ワイヤ、パイプ、チューブ、及びその他の構造物が存在することがある。
【００３４】
これら種々の構造物は、各材料が無線信号の伝播に別々の影響を及ぼしうる多数の異なる種類の材料を有することができる。その結果、不要エリア１６６を含む無線信号１６２のためのシミュレーション１６０を実施することは多大な費用と時間を要し、及び／又は場合によっては不可能となる。
【００３５】
このようなエリアを分離する複数の境界１５５で境界設計１０６を生成するため、境界設計器１０２を使用することにより、航空機１２０内の無線信号１６２のシミュレーションに関してシミュレーション１６０を簡略化することができる。さらに、シミュレーション１６０は、無線信号１６２の伝播が所望どおりでない不要エリア１６６内で、種々の構造物及び材料をすべて考慮することなく、より精度の高いものにもなりうる。このように、境界設計器は、無線ネットワーク間での無線信号の所望の分離及び無線信号の所望の最適化と、１つの無線ネットワーク内における無線信号の所望の最適化とのうちの少なくとも１つを設定する複数の境界を選択するように、さらに設定されている。例えば、最適化は無線信号が伝播する距離を増すこと、不要な信号の伝播を低減すること、及びネットワーク間の無線信号のその他の所望の伝播、或いはこれらの組合せとなることがある。
【００３６】
図１の航空機設計環境１００の図は、例示的な実施形態を実装できる方法に対する物理的または構造的な制限を示唆することを意図していない。図示したコンポーネントに加えて又は代えて、他のコンポーネントを使用することができる。幾つかのコンポーネントは不必要になることもある。また、幾つかの機能コンポーネントを示すためにブロックが表示されている。例示的な実施形態において実施される場合、これらのブロックの一又は複数を、異なるブロックに統合、分割、或いは統合且つ分割することができる。
【００３７】
例えば、境界設計器１０２は航空機設計１０８で使用される境界設計１０６の生成に関して記載されているが、境界設計器１０２は航空機以外の他の種類のプラットフォームの設計を生成するために使用されることがある。例えば、限定しないが、他の例示的な実施形態は、移動式プラットフォーム、固定式プラットフォーム、陸上構造物、水上構造物、宇宙構造物、及び／又は他の好適なプラットフォームに適用されることがある。さらに具体的には、異なる有利な実施形態は例えば、限定しないが、潜水艦、バス、人員運搬車、タンク、列車、自動車、宇宙船、宇宙ステーション、衛星、水上艦、発電所、ダム、製造施設、建造物などのプラットフォーム、及び/又は他の好適なプラットフォームの設計を生成するために適用されることがある。
【００３８】
次に図２を参照すると、例示的な実施形態により所望の種類の無線信号伝播のブロック図が示されている。所望の種類の無線信号伝播１２４の実施例が、これらの例示的な実施例に描かれている。図示されているように、所望の種類の無線信号伝播１２４は、反射による伝播２００、透過による伝播２０２、吸収による伝播２０４、選択的反射による伝播２０６、選択的透過による伝播２０８、選択的吸収による伝播２１０、及び他の種類の無線信号伝播のうちの少なくとも１つを含む。
【００３９】
反射による伝播２００は、無線信号が構造物によって反射される種類の無線信号伝播である。反射による伝播２００は、図１のエリア１３０の中に１つのエリアを画定する際に、複数の境界１５５の中に１つの境界を作成するように所望されることがある。これらの例示的な実施例では、反射による伝播２００は、導電性の材料を使用することによって実現可能である。
【００４０】
透過による伝播２０２は、無線信号が構造物を通過することが可能な種類の無線信号伝播である。透過による伝播２０２は、コンポーネント１１８の中の１つのコンポーネントに対するある種の無線信号伝播として所望されることがあるが、その際、当該コンポーネントは複数の境界１５５の中の１つの境界の一部ではない。すなわち、コンポーネントが複数の境界１５５の中の１つの境界を形成する際に使用するように選択又は所望されていない場合には、当該コンポーネントは、胴体１２８内の無線ネットワーク１４０のためのエリア１３０を画定する際に、所望の種類の無線信号伝播１２４での所望の種類の無線信号処理として透過による伝播２０２を有するように構築されることがある。
【００４１】
例えば、乗客によって使用されるように設定される客室が存在することがある。具体的には、ネットワークは、壁によって分割される２つ以上の客室エリアの乗客によって使用されるように設定されることがある。この種のネットワークでは、２つの客室間の壁を通る無線信号の透過が望ましい。その結果、当該壁は透過性材料からなるコンポーネントを有することがある。
【００４２】
吸収による伝播２０４は、構造物が無線信号を反射又は透過させるのではなく、吸収する種類の無線信号伝播である。これらの例示的な実施例では、吸収による伝播２０４は、無線信号に関して抵抗性のある材料の使用によって、所望の種類の無線信号伝播として実現可能である。
【００４３】
吸収による伝播２０４は、複数経路伝送に対する制限が望ましいときに所望のものとなることがある。複数経路伝送は、表面からの反射の結果としてデータパケットが複製されるときに、起こることがある。例えば、送信機は、遮るもののない見通し線又は透過性のある表面を通って、無線信号にのせたデータパケットを受信機に送ることができる。その後、無線信号の同一データパケットが近傍の表面で反射して受信機に現れることがある。無線シスエムのプロトコールとハードウェアによっては、このような複製された信号は有益になること又は有害になることがある。反射、透過、又は吸収による伝播の選択は適宜行われる。
【００４４】
別の実施例では、異なる無線システムを有する２つの物理的空間が移行エリアのいずれかの側で有効となることがある。吸収による境界伝播は、種々の無線システム間の干渉の可能性を低減するため、移行エリア近傍の複数経路伝送が取り除かれるように、反射による境界伝播よりも選択されることがある。
【００４５】
選択的反射による伝播２０６は、一部の無線信号が反射され、他の部分が反射されない種類の無線信号伝播である。選択的反射による伝播２０６はまた、無線信号の複数の周波数が反射されうる種類の無線信号伝播である。
【００４６】
このような複数の周波数は、個別の周波数または周波数帯であってもよい。周波数帯が選択される場合、帯域は連続的又は種々の部分に分かれていてもよい。所望の種類の信号伝播が選択的反射の場合には、他の周波数は、透過されること、吸収されること、又はこれらの組合せとなることがある。
【００４７】
選択的反射による伝播２０６を有するコンポーネントは、吸収又は他のコンポーネントの透過を許すことがある。すなわち、コンポーネントは所望の種類の信号伝播１２４で、無線信号伝播の種類の組合せを有することがある。
【００４８】
これらの例示的な実施例では、選択的透過による伝播２０８は、構造物によって無線信号の複数の周波数が構造物を通って伝送されることが可能となるような種類の無線信号伝播である。繰り返すが、複数の周波数は、単一周波数又は周波数帯であってもよい。他の信号は、具体的に実装に応じて、反射されること、吸収されること、又はその両方となることがある。
【００４９】
選択的吸収による伝播２１０は、単一周波数又は周波数帯となりうる無線信号の複数の周波数を構造物が吸収するような種類の無線信号伝播である。他の周波数の他の無線信号は、反射されること、透過されること、又はこれらの組合せとなることがある。
【００５０】
これらの例示的な実施例では、構造物１２５の中の１つの構造物は、具体的な実装に応じて所望の種類の無線信号伝播１２４の組合せを有することがある。例えば、構造物１２５の中の１つの構造物は、周波数帯が選択されるような選択的反射となることがある。構造物は、１つの周波数帯が透過され、残りの周波数が吸収されるような選択的透過となることがある。この構造物は、所望の種類の無線信号伝播１２４として、選択的反射による伝播２０６、選択的透過による伝播２０８、及び選択的吸収による伝播２１０を有するとみなされることがある。
【００５１】
所望の種類の無線信号伝播１２４のこれらの実施例は、胴体１２８内の複数の境界１５５を形成する設定１５６を有する胴体１２８内のコンポーネント１１８の中の種々のコンポーネントに実装されうる無線伝播の実施例である。言うまでもなく、他の例示的な実施形態では、他の種類の所望の無線信号伝播及び所望の無線信号伝播の組合せが使用されることがある。
【００５２】
所望の種類の無線信号伝播１２４は、コンポーネント１１８の様々な組合せによって実現されうる。具体的には、所望の種類の無線信号伝播１２４の中の種々の種類の無線信号伝播は、材料データベース１１４からの材料１２２の選択及びコンポーネント１１８の材料１２２の設定によって設定可能である。
【００５３】
例えば、選択的反射による伝播２０６、選択的透過による伝播２０８、及び選択的吸収による伝播２１０、又はこれらの組合せなどの選択的伝播は、フィルタとして作用する構造物のコンポーネント及び材料を改良することによって実現可能である。例えば、繊維ガラスのような透過的でないパネルにきわめて低密度の導電性金属粒子が詰め込まれている場合には、当該パネルは高周波数信号を反射する一方で、低周波数信号を通すことができる。この粒子の密度を上げる又は下げることによって、周波数の分岐点をそれぞれ上方又は下方にずらすことができる。
【００５４】
次に図３を参照すると、例示的な実施形態によるコンポーネントデータベースのブロック図が描かれている。この図解されている実施例では、コンポーネントデータベース１１２のコンポーネント１１８の設計１１６の実施例が示されている。
【００５５】
これらの例示的な実施例では、コンポーネント１１８の設計１１６は、例えば、限定しないが、パネル３００、絶縁ブランケット３０２、ガスケット３０４、シュラウド３０６、カーペット３０８、格子３１０、ケージ３１２、高周波開口部３１４、アップリケ３１６、カーテン３２０、容積吸収体３２４、グリッド３２６、ファブリック３２８、コーティング３３０、プレート３３２、及び他の好適な種類の構造物を含みうる。
【００５６】
パネル３００は実質的に平面的な形状、又は湾曲した、不規則な形状、又は他の形状のパネルであってもよい。パネル３００は、収納庫、化粧室、天井、床、間仕切り、クローゼット、などの構造物、及び他の種類の構造物の形成に使用されるコンポーネントである。
【００５７】
絶縁ブランケット３０２は、他の構造物の周囲又は間に配置される構造物である。例えば、絶縁ブランケット３０２は種々のパネルの間に使用されることがある。ガスケット３０４はパネルなどのコンポーネント間の継ぎ目を埋めるために使用可能である。すなわち、ガスケット３０４は間隙を覆うために使用される。このような間隙は、これらの例示的な実施例では高周波信号が伝播する間隙となっている。シュラウド３０６は、あるエリアの境界又は境界の一部を密閉又は形成するために使用されるコンポーネントとなることがある。例えば、シュラウド３０６は収納庫、クローゼット、又は他の構造物と共に使用される。
【００５８】
カーペット３０８は、航空機内の床、壁、及びその他の場所に見られるコンポーネントである。格子３１０は、空気の流れを可能にするコンポーネントである。ケージ３１２は、電子デバイスが配置されるエリアを密閉するように設定されるコンポーネントである。
例えば、ケージ３１２は、電気設備室又は他のエリアを密閉することができる。
【００５９】
高周波開口部３１４は、別のコンポーネントの開口部を提供する。高周波開口部３１４は、ある種の周波数が反射又は吸収されることがある構造物を通過できるようにするコンポーネントである。
【００６０】
アップリケ３１６は、所望の種類の無線信号伝播をもたらすため、種々のコンポーネント上に配置されることがあるコンポーネントである。アップリケ３１６は、装飾的な設計を含むことがあり、壁、ドア、又は他の構造物の上に配置されることがある。カーテン３２０は、客室内のエリアを間仕切るために使用される構造物である。例えば、カーテン３２０は、客室のビジネスクラス部分から客室のエコノミークラス部分を分離するために使用されることがある。
【００６１】
容積吸収体３２４は、他のコンポーネント内に実装されることがある。例えば、容積吸収体３２４は、パネル３００、乗客シートのクッション、及び他の構造物内に配置されることがある。加えて、容積吸収体３２４は胴体１２８内の他のエリアに配置されてもよい。
【００６２】
グリッド３２６は、パネル３００などの他の構造物、及び／又は他の好適な構造物内に実装されるコンポーネントである。グリッド３２６は、導電性、抵抗性となるように、又は他の好適な種類の無線信号伝播を有するように作られることがある。
【００６３】
ファブリック３２８は、他のコンポーネント及び／又は構造物を覆うように使用されることがある。例えば、ファブリック３２８は、乗客シート、壁、及び／又は他の構造物を覆うように使用されることがある。コーティング３３０は、所望の種類の無線信号伝播をもたらすため、他のコンポーネント及び／又は構造物の上に形成されるコンポーネントである。コーティング３３０は、他のコンポーネント及び／又は構造物の表面上に噴霧、塗布、又は形成されることがある。
【００６４】
プレート３３２は、他のコンポーネント及び／又は構造物を覆うように使用されることがある。例えば、プレート３３２は、パネル３００、モニュメント、及び他の好適な構造物の内側に配置されることがある。
【００６５】
この実施例に図解されているコンポーネント１１８の設計１１６は、図２に図解されているように所望の種類の無線信号伝播１２４の任意の組合せを有することがある。提供されている所望の種類の無線信号伝播は、この例示的な実施例で描かれている種々の構造物を形成するために使用される材料に基づいて設定されることがある。
【００６６】
次に図４を参照すると、１つの例示的な実施形態によって描かれた構造物の実施例のブロック図が描かれている。このような実施例では、構造物１２５は胴体１２８内の複数の種々の形態をとることができる。例えば、構造物１２５は、客室壁４００、隔壁４０６、クローゼット４０８、化粧室４１０、天井４１２、収納庫４１４、乗客シート４１６、調理室４１８、床４２０、間仕切り４２２、及び他の好適な種類の構造物のうちの少なくとも１つを含むことができる。これらの例示的な実施例では、構造物１２５は、所望の種類の無線信号伝播１２４を提供するように設定される一又は複数のコンポーネント１１８を含むことがある。具体的には、材料データベース１１４の一又は複数の材料１２２は、構造物１２５の形成に使用される所望の種類の無線信号伝播１２４を提供するため、コンポーネント１１８の中で使用されることがある。
【００６７】
次に図５を参照すると、例示的な実施形態によって描かれた材料データベースのブロック図が描かれている。この図解されている実施例では、材料データベース１１４の材料１２２はコンポーネント１１８の形成に使用される材料の実施例である。
【００６８】
図示されているように、材料データベース１１４の材料１２２は、導電性材料５０２、抵抗性材料５０４、及び中性材料５０６のうちの少なくとも１つを含むことができる。これらの例示的な実施例では、導電性材料５０２は、反射的な種類の無線伝播をもたらすため、コンポーネント内で使用されることがある。導電性材料５０２は、例えば、限定しないが、金、銀、アルミニウム、及び他の好適な金属又は金属合金であってもよい。
【００６９】
抵抗性材料５０４は、反射的な種類の無線伝播をもたらすため、コンポーネント内で使用されることがある。抵抗性材料５０４は、例えば、限定しないが、炭素、木、繊維ガラス、及び他の好適な材料であってもよい。例えば、炭素はコンポーネントの形成に使用される材料に組み込まれることがある。他の実施例では、炭素はコンポーネント上に塗布されることがある。
【００７０】
中性材料５０６は導電性でも抵抗性でもない材料である。これらの例示的な実施例では、中性材料５０６は低損失であり、透過による伝播をもたらすことができる。例えば、中性材料５０６は、プラスチック、ポリエステル、複合材料、及び他の好適な種類の材料であってもよい。
【００７１】
これらの例示的な実施例では、これらの材料の種々の組合せは、所望の種類の無線信号伝播１２４を提供するコンポーネント１１８で使用可能である。材料１２２の組合せは、コンポーネントの所望の種類の無線信号伝播１２４の一又は複数の種類を提供するように使用可能である。
【００７２】
航空機設計環境１００の図及び図１〜５の航空機設計環境１００で使用される種々のコンポーネントは、例示的な実施形態が実装されうる方法に対する物理的又は構造的な制限を示唆することを意図していない。図示したコンポーネントに加えて又は代えて、他のコンポーネントを使用することができる。幾つかのコンポーネントは不必要になることもある。また、幾つかの機能コンポーネントを示すためにブロックが表示されている。例示的な実施形態において実施される場合、これらのブロックの一又は複数を、異なるブロックに統合、分割、或いは統合且つ分割することができる。
【００７３】
次に図６を参照すると、無線ネットワークが使用される航空機の内装エリアの図解が例示的な実施形態に従って描かれている。これらの例示的な実施例では、航空機６００は、境界設計１０６を伴う航空機設計１０８を使用して製造される航空機１２０の実施例である。
【００７４】
ここに描かれている実施例では、航空機６００はエリア６０２を含む。これらの例示的な実施例では、エリア６０２は操縦室６０４、調理室６０６、客室６０８、化粧室６１０、客室６１２、化粧室６１４、客室６１６、調理室６１８、上方ゾーン６２０、電気設備室６２２、及び貨物室６２４を含む。
【００７５】
この例示的な実施例では、無線ネットワーク６２６は航空機６００内に存在する。無線ネットワーク６２６は、乗務員通信システム６２８、煙探知システム６３０、娯楽システム６３２、及び非常用照明システム６３４を含む。加えて、無線通信リンク６３６が航空機６００内に描かれている。具体的には、この例示的な実施例では、無線通信リンク６３６は、所望の無線通信リンク６３８、及び好ましくない無線通信リンク６４０を含む。所望の無線通信リンク６３８は、無線ネットワーク６２６内の異なるコンポーネント間の無線信号の所望の伝播の実施例を示している。好ましくない無線通信リンク６４０は、無線ネットワーク６２６内の異なるコンポーネント間の無線信号の好ましくない伝播の形態での干渉を示している。
【００７６】
これらの例示的な実施例では、エリア６０２内に所望の種類の無線信号伝播をもたらすため、航空機６００の周囲エリア６０２内に境界６４２が示されている。境界設計器１０２は、所望の無線通信リンク６３８を促進する一方で好ましくない無線通信リンク６４０を低減するような方法で、境界６４２を選択するように使用可能である。
【００７７】
航空機６００及び無線ネットワーク６２６の図は、他の例示的な実施形態を実装できる方法に対する制限を示唆することを意図していない。例えば、例示的な実施形態は、エリア６０２内により多くの又はより少ないエリアを有することがある。幾つかの例示的な実施例では、航空機６００は客室が存在する２つ以上のデッキを有することがある。さらに別の例示的な実施例では、図６に示されているように、無線ネットワーク６２６に加えて又は代えて、他の無線ネットワークが存在していてもよい。例えば、限定しないが、他の無線ネットワークはセンサーシステム、健全性監視システム、エンジン制御システム、及び無線ネットワークを使用しうる他の好適な種類のシステムを含んでいてもよい。
【００７８】
次に図７を参照すると、有利な一実施形態による航空機の客室の図が描かれている。この例示的な実施例では、客室７００及び客室７０１は、図６の客室６９８及び客室６１２の１つの実装の実施例である。図解されているように、客室７００及び客室７０１は、それぞれネットワーク７０２及びネットワーク７０４を含む。ネットワーク７０２は送信機７０６及び受信機７０８を含む。ネットワーク７０４は送信機７１２、受信機７１０及び受信機７１４を含む。
【００７９】
この例示的な実施例では、構造物７１６は、客室７００のエリア７２０と客室７０１のエリア７２２の間に境界７１８を形成する。エリア７２０はネットワーク７０２用で、一方エリア７２２はネットワーク７０４用である。これらの例示的な実施例では、送信機７０６からの信号のエリア７２０からエリア７２２への送信は好ましくない。同様に、送信機７１２からの信号のエリア７２２からエリア７２０への送信も好ましくない。
【００８０】
これらの例示的な実施例では、構造物７１６は客室７００の複数の種類の無線信号伝播をもたらす。図示されているように、構造物７１６はエリア７２０の送信機７０６からの信号がエリア７２２の受信機７１０及び受信機７１２に到達しないように設定されている。同様に、構造物７１６は送信機７１２からの信号がエリア７２０の受信機７０８に到達しないように設定されてもよい。
【００８１】
例えば、壁７２４は反射による無線信号伝播を有することがある。壁７２４は開口部７２６及び開口部７２８を有する。開口部７２８のカーテン７３０は反射による無線信号伝播を有することがある。このように、経路７３２をたどるような信号はエリア７２０内で所望の方法で反射されて、受信機７０８に到達することができる。
【００８２】
同様に、壁７３４はまた反射性であってもよい。この種の無線信号伝播により、経路７３６に沿って進む無線信号は、所望の方法で反射されて受信機７０８に到達することができる。
【００８３】
このような例示的な実施例では、壁７２４の反射性は面７４０側にある。壁７２４の面７４２は吸収性である。このように、エリア７２２の外へそれる可能性のある信号は、壁７２４の面７４２によって吸収される。
【００８４】
同様に、調理室７４６の面７４４、化粧室７５０の面７４８、化粧室７５４の面７５２は吸収性であってもよい。調理室７４６の面７４４、化粧室７５０の面７４８、化粧室７５４の面７５２によるこの種の無線信号伝播により、壁７２４の開口部７２６及び開口部７２８を通ってエリア７２０の外へそれる可能性のある信号は、エリア７２２に到達する前に吸収される。
【００８５】
同様に、化粧室７５０の面７６０、調理室７４６の面７６２及び化粧室７５４の面７６４は、エリア７２２内を進む信号が所望の方法で反射されるように反射性であってもよい。この例示的な実施例では、調理室７４６の面７６８及び面７７０は、エリア７２２からエリア７２０に進む信号を低減するため、吸収性であってもよい。
【００８６】
例えば、送信機７０６からの信号が経路７５６に沿って進む場合、これらの信号は、調理室７４６を通過してエリア７２２に到達するのではなく、調理室７４６の面７４４によって吸収される。同様に、無線信号が経路７５７に沿って進む場合、これらの無線信号は化粧室７５０の面７４８によって吸収されることがある。これらの例示的な実施例では、パネル、ファブリック、グリッド、コーティングなどのコンポーネント、及び他の好適なコンポーネントが使用されて、所望の種類の無線信号伝播を有するように構造物７１６を形成することができる。
【００８７】
次に図８を参照すると、例示的な実施形態による胴体の断面図が描かれている。この例示的な実施例では、航空機８０２の胴体８００の断面図が描かれている。この断面図では、３つのエリアが描かれている。このエリアは、客室エリア８０４、貨物エリア８０６、及び上部エリア８０８を含む。
【００８８】
このような例示的な実施例では、複数の境界８１０はこれらのエリアを互いに分離する。これにより、第１ネットワークの無線信号の所望の種類の伝播が、客室エリア８０４内で起こりうる。第２ネットワークは貨物エリア８０６内で無線信号を送信することができる。第３ネットワークは、これらの例示的な実施例では、上部エリア８０８内で無線信号を送信することができる。
【００８９】
さらに別の例示的な実施例では、上部エリア８０８は、他のエリアからの信号の送信及び伝播が好ましくない航空機内のエリアとなることがある。例えば、上部エリア８０８は、所望以上に複雑な航空機８０２内での信号伝播をシミュレーションする多数のコンポーネントを含むことがある。その結果、上部エリア８０８への信号の伝播のシミュレーションは所望どおりに正確にシミュレートされないことがある。
【００９０】
上部エリア８０８への信号の伝播を低減又はなくすための複数の境界８１０の設計により、航空機８０２内の信号のシミュレーションは単純化することができる。
【００９１】
現在使用されている客室では、複数の境界は一般的に所望の種類の伝播を考慮していない。複数の境界８１０を形成する種々の構造物は、例えば、壁、天井、収納庫、床、及び他の構造物を含むことがある。これらの構造物は、例えば、限定しないが、パネル、カーペット、格子などのコンポーネント、及び他の好適なコンポーネントを備えていることがある。これらのコンポーネントは、プラスチック、繊維ガラス、グラファイトからなる材料、及び他の材料を含むことがある。これらの材料は典型的に、ネットワークのための所望の種類の無線信号伝播を考慮するように選択されていない。その結果、これらのコンポーネントでは、これらのコンポーネントを通過して上部エリア８０８などの他のエリアへ至る無線信号の伝送が起こりうる。これらのエリアでは、多数の他のコンポーネントが、シミュレートすることが困難な方法で無線信号を反射及び吸収することができる。
【００９２】
これらの例示的な実施形態では、複数の境界８１０は、客室エリア８０４内の信号が複数の境界８１０で反射されて客室エリア８０４に戻るように設計可能である。さらに、複数の境界８１０はまた、他のネットワークからの信号が客室エリア８０４に入るのを低減するように設計可能である。その結果、上部エリア８０８内の無線信号のシミュレーションは不要にすることができる。
【００９３】
別の実施例では、貨物エリア８０６の部分は、無線信号の伝播及びシミュレーションに関してこのエリアを好ましくないものにしうる複雑な構造物及び材料を有することがある。同様に、複数の境界８１０はまた、貨物エリア８０６への信号の伝播を低減又はなくすこともできる。
【００９４】
これらの例示的な実施例では、複数の境界８１０は客室エリア８０４内で信号の反射を引き起こすことがありうる。他の例示的な実施例では、複数の境界８１０の設計は、複数の境界８１０を形成する材料及びコンポーネント及び／又は構造物が無線信号を吸収、反射、又は吸収且つ反射するようなものであってもよい。この種の無線信号伝播は、このような無線信号が上部エリア８０８、貨物エリア８０６、又はその両方などの不要エリアに到達しないようになっている。
【００９５】
無線信号の伝播に関して客室エリア８０４のみが問題とされている場合、客室エリア８０４内の無線信号伝播のシミュレーションは、貨物エリア８０６及び上部エリア８０８内のコンポーネントによる信号の減衰、損失、及び反射が要因となっていないときには、さらに単純になることがある。結果的に、客室エリア８０４内の無線ネットワークの性能のシミュレーションは、容易に実施可能となる。
【００９６】
その結果、客室エリア８０４内の無線ネットワークの設計はより入念に行われることがある。例えば、無線ネットワークの受信機、送信機、ルーター、アクセスポイント、及びその他のコンポーネントは最適化すること、又はネットワーク間、ネットワーク内、または両者の組合せにおいて無線信号の所望の最適化を提供するように設計することができる。最適化により、所望のレベルの性能を得るため無線ネットワークに必要とされるコンポーネントを少なくすることができる。最適化は種々の形態をとりうる。例えば、最適化は、無線信号の強度、エリア内での無線信号の封じ込め、及びその他の好適な要因に関するものであってもよい。
【００９７】
別の実施例では、無線信号の最適化は、送受信機が多重入出力ネットワーク内に共同設置されているエリアでの吸収を減らす一方で、無線信号の反射を増やすことを含んでいてもよい。この実施例での無線信号はより長い到達範囲を有し、送受信機により到達しやすい。
【００９８】
さらに別の実施例では、コンポーネントのバッテリー寿命を長くすることが望ましい。バッテリー寿命は、コンポーネントのエリア内での反射率を高めることによって、無線信号の伝播を最適化することができる。反射率は受信機に到達する無線信号の振幅を高め、受信機が使用する電力を低減することができる。
【００９９】
さらに別の実施例では、無線信号の最適化は信号の反射率を低減することによって実現されることがある。反射率の低下は、送信される信号の複製の数を減らすことができる。反射率は無線信号を吸収する材料を使用することによって低減することができる。
【０１００】
ここで、図９を参照すると、例示的な実施形態によるパネルの図が描かれている。図示されているように、パネル９００はコンポーネントデータベース１１２の中の設計１１６によるコンポーネントの一例である。この例示的な実施例では、パネル９００は種々の構造物で使用されて、無線ネットワークが動作するエリアの境界を形成することができる。
【０１０１】
図解されているように、パネル９００は、抵抗性層９０２、第１表面板９０４、コア９０６、第２表面板９０８、及び導電性層９１０を含む。抵抗性層９０２は第１表面板９０４上に配置され、導電性層９１０は第２表面板９０８上に配置される。これら２層はコーティング、アップリケ、又は両方の組合せであってもよい。さらに、これらの層は表面板の一部として形成されてもよい。
【０１０２】
導電性層９１０は、反射性の種類の無線伝播をもたらすように設定されている。抵抗性層９０２は、吸収性の種類の無線伝播をもたらすように設定されている。
【０１０３】
例えば、客室エリア９１３内の送信機９１２によって送信される無線信号は、経路９１４をたどって受信機９１６に到達することがある。図からわかるように、導電性層９１０は経路９１４によって示されているように無線信号を反射する。すなわち、送信機９１２によって送信される無線信号はパネル９００を通過しない。
【０１０４】
客室エリア９１３の外側のエリア９１８からパネル９００に入る無線信号は抵抗性層９０２によって吸収される。このように、エリア９１８からの無線信号が横断して客室エリア９１３へ入ることはない。このように、パネル９００は客室エリア９１３とエリア９１８を相互に分離する境界の形成時に使用される。
【０１０５】
ここで、図１０を参照すると、例示的な実施形態による別のパネルが図解されている。図示されているように、パネル１０００はコンポーネントデータベース１１２の中の設計１１６によるコンポーネントの一例である。この例示的な実施例では、パネル１０００は種々の構造物で使用されて、無線ネットワークが動作するエリアの境界を形成することができる。
【０１０６】
この例示的な実施例では、パネル１０００は第１表面板１００２、コア１００４、第２表面板１００６及び周波数選択性層１００８を備えている。この例示的な実施例では、パネル１０００はエリア１０１０とエリア１０１２との間の境界として使用される。
【０１０７】
この例示的な実施例では、無線ネットワーク１０１４は送信機１０１６、受信機１０１８、及び受信機１０２０を含む。無線ネットワーク１０２２は送信機１０２４及び受信機１０２６を含む。無線ネットワーク１０２８は送信機１０３０、受信機１０３２及び受信機１０３４を含む。無線ネットワーク１０３６は送信機１０３８及び受信機１０４０を含む。言うまでもなく、付加的な送信機及び受信機が存在することがあるが、これらの実施例では表示されていない。
【０１０８】
さらに、無線ネットワーク１０１４、無線ネットワーク１０２２、無線ネットワーク１０２８、及び無線ネットワーク１０３６は、異なる周波数で動作する。この例示的な実施例では、これらの周波数は、種々のネットワークで生成される無線信号が相互に干渉しないように選択される。
【０１０９】
この例示的な実施例では、無線ネットワーク１０１４はエリア１０１０及びエリア１０１２に配置される多重入出力（ＭＩＭＯ）ネットワークである。無線ネットワーク１０１４は両方のエリアに配置されているが、１つのエリアの無線信号が別のエリアを横断するのは望ましくない。例えば、送信機１０１６によって送信される信号は、受信機１０２０ではなく、受信機１０１８によって受信されるべきである。
【０１１０】
無線ネットワーク１０２２はエリア１０１０及びエリア１０１２の両方に配置されている。しかしながら、無線ネットワーク１０２２に関しては、無線信号がこれらのエリア間で移動することが望ましい。例えば、送信機１０２４によって送信される信号は、受信機１０２６によって受信されるべきである。
【０１１１】
無線ネットワーク１０２８は多重入出力（ＭＩＭＯ）ネットワークで、エリア１０１０及びエリア１０１２の両方に配置される。エリア間を横断するこのネットワーク用の無線信号は望ましくない。
【０１１２】
同様に、無線ネットワーク１０３６はエリア１０１０及びエリア１０１２に配置されている。無線ネットワーク１０３６に関しては、信号がエリア１０１０とエリア１０１２の間で交差することが望ましい。例えば、送信機１０３８によって生成される無線信号は、受信機１０４０によって受信されるべきである。
【０１１３】
図示されているように、種々のネットワークは、これらのネットワーク用の無線信号がエリア１０１０とエリア１０１２との間で交差すべきかどうかに関して、種々の要件を有する。例えば、無線ネットワーク１０１４及び無線ネットワーク１０２８に関しては、エリア１０１０と１０１２の間で交差する無線信号を有することは望ましくない。この例示的な実施例では、無線ネットワーク１０２２及び無線ネットワーク１０３６に関しては、無線信号がエリア１０１０とエリア１０１２の間で交差することが望ましい。
【０１１４】
パネル１０００は、無線ネットワーク１０１４、無線ネットワーク１０２２、無線ネットワーク１０２８及び無線ネットワーク１０３６に所望の種類の無線信号伝播をもたらすように設定されている。具体的には、パネル１０００の周波数選択性層１００８の使用により、所望の種類の無線信号伝播が提供される。周波数選択性層１００８は、これらの種々の無線ネットワークに所望の種類の伝播をもたらす。
【０１１５】
図示されているように、周波数選択性層１００８は、無線信号に関して選択的に反射性であり且つ選択的に透過性であるように設定される一又は複数の材料を備えている。使用される材料は、ある周波数帯の信号を反射し且つ他の周波数帯で無線信号を通すことができるように選択されている。
【０１１６】
例えば、周波数選択性層１００８は、送信機１０３０によって送信される無線信号が受信機１０３４ではなく受信機１０３２によって受信されるように設定することができる。具体的には、周波数選択性層１００８は、無線ネットワーク１０１４及び無線ネットワーク１０２８が動作する周波数を反射するように設定することができる。周波数選択性層１００８は、無線ネットワーク１０２２及び無線ネットワーク１０３６の周波数が通過できるように設定することができる。この種の周波数選択は、帯域阻止特性を有する高域フィルタとして動作する材料の設定を使用するように実装されることがある。
【０１１７】
次に図１１を参照すると、例示的な実施形態によって、信号を反射する構造物と共に使用されるコンポーネントの図が描かれている。この例示的な実施例では、構造物１１００は収納庫１１０２の形態をとる。収納庫１１０２は、図４にブロック図の形式で示した収納庫４１４の物理的な実装の一例である。
【０１１８】
コンポーネント１１０４は、所望の種類の無線信号伝播をもたらすため、収納庫１１０２と共に使用されるコンポーネントである。図示されているように、コンポーネント１１０４はシュラウド１１０６の形態をとる反射性のコンポーネントである。シュラウド１１０６は収納庫１１０２を覆っていてもよい。加えて、収納庫蓋１１０８は反射性層１１１０を有していてもよい。このように、収納庫１１０２は、収納庫１１０２が開いていても閉じていても、反射性を有することができる。
【０１１９】
次に図１２を参照すると、例示的な実施形態により所望の種類の無線信号伝播を得るために使用されるコンポーネントを有する構造物の図が描かれている。乗客シート１２００は、図４にブロック図の形式で示した乗客シート４１６の物理的な実装の一例である。
【０１２０】
この図解されている実施例では、乗客シート１２００は反射性を有するように作ることができる。例えば、この分解図からわかるように、導電性シュラウド１２０２は、乗客シート１２００の外張り材１２０４と発泡材１２０６との間に配置される。このように、無線信号は、発泡材１２０６を通過し乗客シート１２００のシートフレームの金属コンポーネントと相互作用するのではなく、導電性シュラウド１２０２によって反射される。このように、乗客シート１２００はエリア内を伝播する無線信号から隔絶することができる。
【０１２１】
次に図１３を参照すると、例示的な実施形態によって、境界を形成する壁の中で使用されるコンポーネントの図が描かれている。この図解されている実施例では、壁１３００は開口部１３０６及び１３０８が存在する航空機内の壁である。
【０１２２】
これらの開口部はそれぞれ、還流空気グリル１３１４及び１３１６の形態のコンポーネントで覆われている。これらの空気グリルは格子１３１８のような格子を備えていてもよい。格子１３１８は、図３のブロック図の形式で示された格子３１０の実装の一例である。
【０１２３】
図示されているように、格子１３１８は高周波信号の反射に使用される間隔を空けた導電性素子１３２０を有する。例えば、格子１３１８の導電性素子１３２０の間隔は、導電性素子間の距離が反射される無線信号の波長の４分の１となるようにしてもよい。このように、還流空気グリルはこれらの無線信号に対して反射性を有するように作成することができる。
【０１２４】
次に図１４を参照すると、例示的な実施形態によって、境界を形成するように使用されるコンポーネントの別の図が描かれている。この図解されている実施例では、ｌパネル１４００及びパネル１４０２は、航空機の客室内の壁、天井、又は他の場所に存在するパネルの例である。パネル１４００及びパネル１４０２は、図３のブロック図の形式で示された格子３００の実装の一例である。
【０１２５】
これらの例示的な実施例では、ギャップ１４０３はパネル１４００とパネル１４０２の間に存在する。図示されているように、ガスケット１４０４はギャップ１４０３に配置することができる。ガスケット１４０４はギャップ１４０３に配置されて、高周波信号のギャップへの侵入及びパネル１４００とパネル１４０２の結合を低減又は防止することができる。ガスケット１４０４は、可塑性充填材、加工済テープ、及びギャップ１４０３を覆うように使用可能な他の好適な種類のコンポーネントなど、様々な形態をとりうる。
【０１２６】
加えて、壁１４０８に隣接する端部１４０６は抵抗性コーティング１４１０によって処理可能である。端部１４０６上の抵抗性コーティング１４１０は、エリア１４１２で発生する高周波信号の回折又は侵入がエリア１４１４に入ることを軽減できる。
【０１２７】
次に図１５を参照すると、例示的な実施形態による航空機の設計のためのプロセスのフロー図が描かれている。図１５に示すプロセスは、航空機の内装の設計に使用可能である。具体的には、このプロセスは、胴体１２８の内装に関して複数の境界１５５を有する境界設計１０６を生成するため、境界設計器１０２を使用して実装することができる。具体的には、このプロセスは所望の種類の無線信号伝播１２４を得るために使用可能である。
【０１２８】
このプロセスは、航空機の無線ネットワークのための設定を特定することにより開始される（作業１５００）。このプロセスは次に、無線ネットワークに所望の無線信号伝播をもたらす無線ネットワークのための複数の境界を選択する（作業１５０２）。このプロセスは次に、コンポーネントデータベース内の設計から複数のコンポーネントの設定を、材料データベースから複数のコンポーネントの複数の材料を、それぞれ選択して、無線ネットワークのための複数の境界を形成し（作業１５０４）、その後プロセスは終了する。
【０１２９】
次に図１６を参照すると、例示的な実施形態による航空機用の複数の境界を選択するためのプロセスのフロー図が描かれている。図１６に示されたプロセスは、図１の境界設計器１０２によって実装可能である。さらに、このプロセスは、図１５の作業１５０２の実装の一例である。
【０１３０】
このプロセスは、無線ネットワークが動作する航空機内のエリアを特定することにより開始される（作業１６００）。このプロセスは次に、当該エリアの境界を画定する航空機内の構造物を特定する（作業１６０２）。次に、このプロセスは特定された構造物を使用して複数の境界を形成する（作業１６０４）。
【０１３１】
複数の境界について構造物の変更が必要かどうかに関して判断が行われる（作業１６０６）。作業１６０６では、航空機設計の既存の構造物を使用して生成される複数の境界に、好ましくないギャップが存在するかどうかの判断を目指す。
【０１３２】
構造物に対する変更が必要な場合には、境界内のギャップを減らす又はなくすように変更が選択され（作業１６０８）、その後プロセスは終了する。この変更は、構造物の追加、構造物の移動、構造物の再設定、又は他の好適な変更となることがある。変更が行われる程度は、航空機の設計における制約に依存することがある。作業１６０６で複数の境界について構造物の変更が不要の場合にも、このプロセスは終了する。
【０１３３】
次に図１７を参照すると、例示的な実施形態によって、コンポーネントデータベース内の設計からコンポーネントを設定するためのプロセスのフロー図が描かれている。図１７に示されたプロセスは、境界設計１０６を生成するため、図１の境界設計器１０２で実装可能である。具体的には、このプロセスは、境界設計１０６のコンポーネント１１８の設定１５６を生成するために使用可能である。加えて、このプロセスは、図１５の作業１５０４の実装の一例である。
【０１３４】
このプロセスは、航空機について選択された複数の境界を特定することにより開始される（作業１７００）。その後、このプロセスは、複数の境界で航空機設計から構造物を特定する（作業１７０２）。このプロセスは次に、特定された構造物から未処理の構造物を選択する（作業１７０４）。複数の境界について構造物が所望の種類の無線信号伝播を有するかどうかの判断が行われる（作業１７０６）。
【０１３５】
構造物が所望の種類の無線信号伝播を有する場合には、プロセスは上述のように作業１７１０に進む。構造物が所望の種類の無線信号伝播を有していない場合には、プロセスは所望の種類の無線信号伝播をもたらす複数のコンポーネントについて、構造物及び材料のための複数のコンポーネントを特定する（作業１７０８）。作業１７０８では、特定された複数のコンポーネントは、構造物内の既存のコンポーネントであってもよい。構造物内の既存のコンポーネントへの変更が行われることがある。例えば、所望の種類の無線信号伝播をもたらすため、種々の材料が選択されることがある。
【０１３６】
幾つかの例示的な実施例では、複数のコンポーネントはまた、構造物内の既存のコンポーネントに加えて、追加される新しいコンポーネントを含むことがある。例えば、収納庫又は乗客シートにシュラウドが追加されることがある。別の実施例では、壁のパネル間にガスケットが追加されることがある。
【０１３７】
このプロセスは次に、追加された未処理の構造物があるかどうかを判断する（作業１７１０）。追加された未処理の構造物がある場合には、プロセスは作業１７０４に戻る。そうでない場合には、所望の種類の無線信号伝播をもたらすため、複数の境界で使用されるコンポーネントの設定を生成し（作業１７１２）、その後プロセスは終了する。
【０１３８】
図示した種々の実施形態でのフロー図及びブロック図は、例示的な実施形態で実装可能な装置及び方法の構造、機能、及び作業を示している。その際、フロー図又はブロック図の各ブロックは、作業又はステップのモジュール、セグメント、機能及び／又は部分を表わすことがある。例えば、一又は複数のブロックは、ハードウェア内のプログラムコードとして、又はプログラムコードとハードウェアの組合せとして実装可能である。ハードウェア内に実装した場合、ハードウェアは、例えば、フロー図又はブロック図の一又は複数の作業を実施するように製造又は設定された集積回路の形態をとりうる。
【０１３９】
例示的な一実施形態の幾つかの代替的な実装態様では、ブロックに記載された一又は複数の機能は、図中に記載の順序を逸脱して現れることがある。例えば、場合によっては、連続して示されている二つのブロックがほぼ同時に実行されること、又は時には含まれる機能によってはブロックが逆順に実施されることもありうる。また、フロー図又はブロック図に描かれているブロックに加えて他のブロックが追加されることもありうる。
【０１４０】
次に図１８を参照すると、例示的な実施形態によりデータ処理システムが図示されている。データ処理システム１８００を使用して図１のコンピュータシステム１１０を実装することができる。この例示的な実施例では、データ処理システム１８００は通信フレームワーク１８０２を含み、これによりプロセッサ装置１８０４、メモリ１８０６、固定記憶域１８０８、通信装置１８１０、入出力装置１８１２、及びディスプレイ１８１４の間の通信が行われる。これらの実施例では、通信フレームワーク１８０２はバスシステムであってもよい。
【０１４１】
プロセッサ装置１８０４は、メモリ１８０６に読み込まれるソフトウェアに対する命令を実行するように働く。プロセッサ装置１８０４は、具体的な実装に応じて、複数のプロセッサ、マルチプロセッサコア、又は他のタイプのプロセッサであってもよい。本明細書でアイテムを参照する際に使用している「複数の」は、一又は複数のアイテムを意味する。さらに、プロセッサ装置１８０４は、単一チップ上でメインプロセッサが二次プロセッサと共存する異種プロセッサシステムを任意の個数だけ使用して実装することもできる。別の例示的な実施例では、プロセッサ装置１８０４は同一タイプの複数のプロセッサを含む対称型マルチプロセッサシステムであってもよい。
【０１４２】
メモリ１８０６及び固定記憶域１８０８は記憶デバイス１８１６の例である。記憶デバイスは、例えば、限定しないが、データ、機能的な形態のプログラムコードなどの情報、及び／又は他の好適な情報を、一時的に及び／又は永続的に保存することができる任意のハードウェア部品である。記憶デバイス１８１６は、このような実施例では、コンピュータで読取可能な記憶デバイスとも呼ばれる。これらの実施例では、メモリ１８０６は、例えば、ランダムアクセスメモリ又は他の好適な揮発性又は不揮発性の記憶デバイスであってもよい。固定記憶域１８０８は具体的な実装に応じて様々な形態をとりうる。
【０１４３】
例えば、固定記憶域１８０８は、一又は複数のコンポーネント又はデバイスを含むことができる。例えば、固定記憶域１８０８は、ハードドライブ、フラッシュメモリ、書換型光ディスク、書換型磁気テープ、又はこれらの組み合わせであってもよい。固定記憶域１８０８によって使用される媒体は着脱式であってもよい。例えば、着脱式ハードドライブは固定記憶域１８０８に使用することができる。
【０１４４】
通信装置１８１０はこれらの例では、他のデータ処理システム又はデバイスとの通信を行う。これらの実施例では、通信装置１８１０はネットワークインターフェースカードである。通信装置１８１０は、物理的及び無線の通信リンクのいずれか一方又は両方を使用することによって、通信を提供することができる。
【０１４５】
入出力装置１８１２により、データ処理システム１８００に接続可能な他のデバイスによるデータの入力及び出力が可能になる。例えば、入出力装置１８１２は、キーボード、マウス、及び／又は他の幾つかの好適な入力デバイスを介してユーザー入力への接続を提供することができる。さらに、入出力装置１８１２は出力をプリンタに送ってもよい。ディスプレイ１８１４はユーザーに情報を表示する機構を提供する。
【０１４６】
オペレーティングシステム、アプリケーション、及び／又はプログラムに対する命令は、通信フレームワーク１８０２を介してプロセッサユニット１８０４と通信する記憶デバイス１８１６内に配置されうる。これらの例示的な実施例では、命令は固定記憶域１８０８上の機能的な形態になっている。これらの命令は、メモリ１８０６に読み込まれ、プロセッサ装置１８０４によって実行される。種々の実施形態のプロセスは、メモリ１８０６などのメモリに配置されうる命令を実装したコンピュータを使用して、プロセッサ装置１８０４によって実施することができる。
【０１４７】
これらの命令は、プログラムコード、コンピュータで使用可能なプログラムコード、又はコンピュータで読取可能なプログラムコードと呼ばれ、プロセッサ装置１８０４内のプロセッサによって読取及び実行することができる。種々の実施形態のプログラムコードは、メモリ１８０６又は固定記憶域１８０８など、種々の物理的な媒体又はコンピュータで読取可能な媒体上に具現化することができる。
【０１４８】
プログラムコード１８１８は、選択的に着脱可能でコンピュータで読取可能な媒体１８２０上に機能的な形態で配置され、プロセッサ装置１８０４での実行用のデータ処理システム１８００に読込み又は転送することができる。プログラムコード１８１８及びコンピュータで読取可能な媒体１８２０は、これらの実施例ではコンピュータプログラム製品１２２２を形成する。１つの実施例では、コンピュータで読取可能な媒体１８２０は、コンピュータで読取可能な記憶媒体１８２４又はコンピュータで読取可能な信号媒体１８２６であってもよい。コンピュータで読取可能な媒体１８２４は、例えば、記憶デバイス上への転送のために、固定記憶域１８０８の一部であるドライブ又は他のデバイス（例えば、固定記憶域１８０８の一部であるハードドライブ）に挿入又は配置される光ディスク又は磁気ディスクを含むことができる。コンピュータで読取可能な記憶媒体１８２４は、データ処理システム１８００に接続されているハードドライブ、サムドライブ、又はフラッシュメモリなどの固定記憶域の形態もとりうる。幾つかの例では、コンピュータで読取可能な記憶媒体１８２４はデータ処理システム１８００から着脱可能ではないことがある。これらの実施例では、コンピュータで読取可能な記憶媒体１８２４は、プログラムコード１８１８を伝搬又は転送する媒体よりはむしろプログラムコード１８１８を保存するために使用される物理的な又は有形の記憶デバイスである。コンピュータで読取可能な記憶媒体１８２４は、コンピュータで読取可能な有形の記憶デバイス又はコンピュータで読取可能な物理的な記憶デバイスと呼ばれることもある。すなわち、コンピュータで読取可能な記憶媒体１８２４は、人が触れることのできる媒体である。
【０１４９】
代替的に、プログラムコード１８１８はコンピュータで読取可能な信号媒体１８２６を用いてデータ処理シスム１８００に転送可能である。コンピュータで読取可能な信号媒体１８２６は、例えば、プログラムコード１８１８を含む伝播データ信号である。例えば、コンピュータで読取可能な信号媒体１８２６は、電磁信号、光信号、及び／又は他の好適な形式の信号であってもよい。これらの信号は、無線通信リンク、光ファイバケーブル、同軸ケーブル、有線などの通信リンク、及び／又は他の好適な形式の通信リンクによって転送することができる。すなわち、通信リンク及び／又は接続は、例示的な実施例で物理的なもの又は無線によるものであってもよい。
【０１５０】
幾つかの例示的な実施形態では、プログラムコード１８１８は、コンピュータで読取可能な信号媒体１８２６により、ネットワークを介して別のデバイス又はデータ処理システムから固定記憶域１８０８にダウンロードされて、データ処理システム１８００内で使用される。例えば、サーバーデータ処理システムのコンピュータで読取可能な記憶媒体に保存されたプログラムコードは、ネットワークを介してサーバーからデータ処理システム１８００にダウンロードすることができる。プログラムコード１８１８を提供するデータ処理システムは、サーバーコンピュータ、クライアントコンピュータ、又はプログラムコード１８１８を保存及び転送することができる他のデバイスであってもよい。
【０１５１】
データ処理システム１８００に対して例示されている種々のコンポーネントは、種々の実施形態が実装しうる方法に対して構造的な制限を設けることを意図していない。種々の例示的な実施形態は、データ処理システム１８００に対して例示されているコンポーネントに対して追加的又は代替的なコンポーネントを含むデータ処理システム内に実装することができる。図１８に示した他のコンポーネントは、例示的な実施例と異なることがある。種々の実施形態は、プログラムコードを実行できる任意のハードウェアデバイス又はシステムを使用して実装することができる。１つの実施例として、データ処理システムは無機コンポーネントと組み合わせられた有機コンポーネントを含むことができ、及び／又は人間を除く有機コンポーネントを完全に含むことができる。例えば、記憶デバイスは有機半導体を含んでいてもよい。
【０１５２】
別の例示的な実施例では、プロセッサ装置１８０４は、特定の用途のために製造又は設定された回路を有するハードウェア装置の形態をとってもよい。このタイプのハードウェアは、操作を実施するために設定される記憶デバイスからメモリにプログラムコードを読み込まずに操作を実施することができる。
【０１５３】
例えば、プロセッサ装置１８０４がハードウェア装置の形態をとる場合、プロセッサ装置１８０４は回路システム、特定用途向け集積回路（ＡＳＩＣ）、プログラマブル論理デバイス、又は複数の操作を実施するために設定された他の好適な形式のハードウェアであってもよい。プログラマブル論理デバイスにより、デバイスは複数の操作を実施するように設定されている。このデバイスはその後再設定すること、又は複数の操作を実施するために永続的に設定することができる。プログラマブル論理デバイスの例は、例えば、プログラマブル論理アレイ、プログラマブルアレイロジック、フィールドプログラマブルロジックアレイ、フィールドプログラマブルゲートアレイ、及び他の適切なハードウェアデバイスを含む。このタイプの実装により、種々の実施形態のプロセスはハードウェア装置に実装されるため、プログラムコード１８１８は除外されることがある。
【０１５４】
さらに別の例示的な実施例では、プロセッサ装置１８０４は、コンピュータ及びハードウェア装置の中に見られるプロセッサの組み合わせを使用して実装可能である。プロセッサ装置１８０４は、複数のハードウェア装置及びプログラムコード１８１８を実行するように設定されている複数のプロセッサを有していてもよい。ここに描かれている実施例では、プロセスの一部は複数のハードウェア装置に実装することが可能であるが、一方、他のプロセスは複数のプロセッサに実装可能である。
【０１５５】
別の実施例では、バスシステムは、通信ファブリック１８０２を実装するために使用することができ、システムバス又は入出力バスといった一又は複数のバスを含むことができる。言うまでもなく、バスシステムは、バスシステムに取り付けられた種々のコンポーネント又はデバイスの間でのデータ伝送を行う任意の好適な種類のアーキテクチャを使用して実装することができる。
【０１５６】
加えて、通信装置は、データ送信、データ受信、又はデータの送受信を行う複数のデバイスを含むことがある。通信装置は例えば、モデム又はネットワークアダプタ、２個のネットワークアダプタ、又はこれらの組み合わせであってもよい。さらに、メモリは、例えば、通信フレームワーク１８０２内に存在することがあるインターフェース及びメモリコントローラハブに見られるような、メモリ１８０６又はキャッシュであってもよい。
【０１５７】
本発明の例示的な実施形態は、図１９に示す航空機の製造及び保守方法１９００、及び図２０に示す航空機２０００との関連で説明することができる。まず図１９に注目すると、例示的な実施形態による航空機の製造及び保守の方法が示されている。製造前の段階では、航空機の製造及び保守方法１９００は、図２０の航空機２０００の仕様及び設計１９０２、並びに材料の調達１９０４を含むことがある。
【０１５８】
製造段階では、図２０の航空機２０００のコンポーネント及びサブアセンブリの製造１９０６と、システムインテグレーション１９０８とが行われる。その後、図２０の航空機２０００は認可及び納品１９１０を経て運航１９１２に供される。顧客により運航１９１２される間に、図２０の航空機２０００は、定期的な整備及び保守１９１４（改造、再設定、改修、及びその他の整備又は保守を含みうる）を受ける。
【０１５９】
航空機の製造及び保守方法１９００の各プロセスは、システムインテグレーター、第三者、及び／又はオペレータによって実施又は実行されることがある。これらの実施例では、オペレータは顧客であってもよい。本明細書の目的のために、システムインテグレーターは、限定しないが、任意の数の航空機製造者、及び主要システムの下請業者を含むことができ、第三者は、限定しないが、任意の数のベンダー、下請業者、及び供給業者を含むことができ、オペレータは、航空会社、リース会社、軍事団体、サービス機関などであってもよい。
【０１６０】
次に図２０を参照すると、例示的な実施形態で実装されうる航空機が示されている。この実施例では、航空機２０００は、図１９の航空機の製造及び保守方法１９００によって製造されたものであり、複数のシステム２００４及び内装２００６を有する機体２００２を含みうる。システム２００４の例には、推進システム２００８、電気システム２０１０、油圧システム２０１２、及び環境システム２０１４のうちの一又は複数が含まれる。任意の数の他のシステムが含まれていてもよい。航空宇宙産業の例を示したが、自動車産業などの他の産業に異なる実施形態を適用することができる。
【０１６１】
本明細書で具現化した装置及び方法は、図１９の航空機の製造及び保守方法１９００の少なくとも１つの段階で使用可能である。
【０１６２】
１つの例示的に実施例では、境界設計器１０２は、仕様及び設計１９０２の間に航空機２０００の境界設計を生成するために使用可能である。さらに、コンポーネント及びサブアセンブリの製造１９０６の間に航空機２０００のための境界設計からコンポーネントを製造することができる。さらに、図１９のコンポーネント及びサブアセンブリの製造１９０６において製造されるコンポーネント又はサブアセンブリは、図１９で航空機２０００の運航中１９１２に製造されるコンポーネント又はサブアセンブリと同様の方法で作製又は製造される。
【０１６３】
さらに別の実施例では、一又は複数の装置の実施形態、方法の実施形態、又はこれらの組み合わせを、図１９のコンポーネント及びサブアセンブリの製造１９０６並びにシステムインテグレーション１９０８などの製造段階で利用することができる。例えば、コンポーネントの設定は、図１９のコンポーネント及びサブアセンブリの製造１９０６並びにシステムインテグレーション１９０８の間に使用することができる。
【０１６４】
さらに別の例示的な実施例では、一又は複数の装置の実施形態、方法の実施形態、又はこれらの組み合わせを、航空機２０００が図１９における運航１９１２、及び／又は整備及び保守１９１４の間に、利用することができる。例えば、境界設計１０６は、整備及び保守１９１４の間に航空機２０００のアップグレードを実施するために、作成又は更新されてもよい。複数の種々の例示的な実施形態の利用により、航空機２０００の組立てを大幅に効率化すること、及び／又はコストを削減することができる。
【０１６５】
図面及び文章において、一態様では、航空機設計システム１０４が開示され、この航空機設計システムは、航空機１２０で使用するように設定されたコンポーネント１１８の設計１１６を有するコンポーネントデータベース１１２；所望の種類の無線信号伝播１２４のために選択された材料１２２を有する材料データベース１１４；並びに、航空機１２０の無線ネットワーク１４０のための設定１５４を特定し、無線ネットワーク１４０のために所望の無線信号伝播をもたらす無線ネットワークの複数の境界１５５を選択し、コンポーネントデータベース１１２内の設計１１６から複数のコンポーネント１１８用の設定１５６を選択し、且つ複数のコンポーネント１１８用の複数の材料１２２を選択して、無線性能と完全性を高める無線ネットワーク１４０の複数の境界１５５を形成するように設定された境界設計器１０２を含む。
【０１６６】
一変形例では、航空機設計システム１０４は、境界設計器１０２が、無線ネットワーク１４０間での無線信号の所望の分離及び無線信号の所望の最適化と、１つの無線ネットワーク内の無線信号の所望の最適化とのうちの少なくとも１つを設定する複数の境界１５５を選択するようにさらに設定されている場合を含む。別の変形例では、航空機設計システム１０４は、複数の境界１５５が所望の無線信号伝播がエリア内にあるような無線ネットワーク１４０のためのエリア１３０を形成する場合を含む。さらに別の変形例では、航空機設計システム１０４は、境界設計器１０２が、航空機設計１０８が無線ネットワーク１４０を含み、且つ航空機設計１０８を使用する無線ネットワーク１４０に対して所望の無線信号伝播をもたらす無線ネットワーク１４０の複数の境界１５５を選択するような航空機１２０の航空機設計１０８を受取るように設定されている場合を含む。
【０１６７】
１つの例では、航空機設計システム１０４は、コンポーネントデータベース１１２の中の１つのコンポーネントが、パネル３００、絶縁ブラケット３０２、ガスケット３０４、シュラウド３０６、カーペット３０８、格子３１０、ケージ３１２、高周波開口部３１４、アップリケ３１６、カーテン３２０、容積吸収体３２４、グリッド３２６、ファブリック３２８、コーティング３３０、及びプレート３３２のうちの１つから選択される場合を含む。
【０１６８】
別の例では、航空機設計システム１０４は、コンポーネント１１８が客室壁４００、隔壁４０６、クローゼット４０８、化粧室４１０、天井４１２、床４２０、間仕切り４２２、収納庫４１４、乗客シート４１６、及び調理室４１８のうちの少なくとも１つから選択される構造物に使用されるように設定される場合を含む。
【０１６９】
１つの実施例では、航空機設計システム１０４は、材料データベース１１４内の１つの材料が反射、透過、吸収、選択的反射、選択的透過、及び選択的吸収から選択されたいずれかの種類の伝播を有する場合を含む。別の実施例では、航空機設計システム１０４は、材料データベース１１４内の１つの材料が導電性材料、抵抗性材料、及び中性材料のうちの１つから選択される場合を含む。さらに別の実施例では、航空機設計システム１０４は、無線ネットワーク１０４の１つの無線ネットワークが客室ネットワーク１４２、航空電子機器ネットワーク１４４、操縦室ネットワーク１４６、及び貨物室ネットワークのうちの１つから選択される場合を含む。
【０１７０】
一態様では、航空機１２０を設計するための方法が開示されており、この方法は、航空機１２０の無線ネットワーク１４０のための設定１５４を特定すること、無線ネットワーク１４０に所望の無線信号伝播をもたらす無線ネットワーク１４０用の複数の境界１５５を選択すること、並びに、コンポーネントデータベース１１２の設計１１６から複数のコンポーネント１１８用の設定１５６を、材料データベース１１４から複数のコンポーネント１１８用の複数の材料１２２を、それぞれ選択して、無線ネットワーク１４０用の複数の境界１５５を形成することを含む。
【０１７１】
一変形例では、方法は、無線ネットワーク１４０間での無線信号の所望の分離及び無線信号の所望の最適化と、無線ネットワーク内における無線信号の所望の最適化とのうちの少なくとも１つを設定するように、無線ネットワーク１４０用の複数の境界１５５を選択することをさらに含む。別の変形例による方法では、複数の境界１５５が、所望の無線信号伝播がエリア内にあるような無線ネットワーク１４０のエリア１３０を形成する場合を含む。さらに別の変形例では、方法は、前記航空機設計１０８が前記無線ネットワーク１４０を含む前記航空機１２０のための航空機設計１０８を受取ることをさらに含み、前記無線ネットワーク１４０に対して前記所望の無線信号伝播をもたらす前記無線ネットワーク１４０用の前記複数の境界１５５を選択することが、前記航空機設計１０８を使用する前記無線ネットワーク１４０のための所望の無線信号伝播を提供もたらす前記無線ネットワーク１４０用の前記複数の境界１５５を選択することを含む。
【０１７２】
１つの例では、方法は、コンポーネントデータベース１１２の１つのコンポーネントが、パネル３００、絶縁ブラケット３０２、ガスケット３０４、シュラウド３０６、カーペット３０８、格子３１０、ケージ３１２、高周波開口部３１４、アップリケ３１６、カーテン３２０、容積吸収体３２４、グリッド３２６、ファブリック３２８、コーティング３３０、及びプレート３３２のうちの１つから選択される場合を含む。別の例では、方法は、複数のコンポーネント１１８が客室壁４００、隔壁４０６、クローゼット４０８、化粧室４１０、天井４１２、床４２０、間仕切り４２２、収納庫４１４、乗客シート４１６、及び調理室４１８のうちの少なくとも１つから選択される構造物１２５に使用されるように設定される場合を含む。さらに別の例では、方法は、材料データベース１１４内の１つの材料が反射、透過、吸収、選択的反射、選択的吸収、及び選択的透過から選択されたいずれかの種類の伝播を有する場合を含む。なお別の実施例では、方法は、材料データベース１１４内の１つの材料が導電性材料、抵抗性材料、及び中性材料のうちの１つから選択される場合を含む。
【０１７３】
一態様では、航空機１２０内の複数のコンポーネント１１８であって、設定を有し、航空機１２０の無線ネットワーク１４０のデバイス間に所望の無線信号伝播をもたらすように航空機１２０内に複数の境界１５５を形成するように選択された材料１２２を備えている複数のコンポーネント１１８を含む、航空機１２０の無線ネットワークシステムが開示されている。１つの変形例では、航空機１２０の無線ネットワークシステムは、複数のコンポーネントの中の１つのコンポーネントが、パネル３００、絶縁ブラケット３０２、ガスケット３０４、シュラウド３０６、カーペット３０８、格子３１０、ケージ３１２、高周波開口部３１４、アップリケ３１６、カーテン３２０、容積吸収体３２４、グリッド３２６、ファブリック３２８、コーティング３３０、及びプレート３３２のうちの１つから選択される場合を含む。別の変形例では、航空機１２０の無線ネットワークシステムは、複数のコンポーネント１１８が客室壁４００、隔壁４０６、クローゼット４０８、化粧室４１０、天井４１２、床４２０、間仕切り４２２、収納庫４１４、乗客シート４１６、及び調理室４１８のうちの少なくとも１つから選択される航空機１２０内の構造物１２５で使用するように設定される場合を含む。
【０１７４】
したがって、一又は複数の例示的な実施形態により、航空機の内装は無線ネットワークに対して所望のレベルの提供するように最適化可能である。すなわち、無線ネットワークは、所望の種類の無線信号伝播をもたらすため、より高速なデータ転送速度、より少ない電力消費、より高い周波数帯域、より高い信頼性、及び境界の使用によるその他の利点を有する。
【０１７５】
加えて、航空機の内装の解析及び設計はより簡素化され、例示的な実施形態を使用する場合には必要となる時間を短縮することが可能である。境界設計器１０２のような境界設計器により、シミュレーション又は無線信号伝播に望ましくない領域は、無線信号伝播が望ましいエリアから分離可能である。このように、航空機内の無線信号伝播からより正確な解析を行うことができる。高い精度と解析により、シミュレーションシステムで現在使用されていると比べて改良されたネットワークが設計可能である。
【０１７６】
種々の例示的な実施形態の説明は、例示及び説明を目的として提供されているものであり、網羅的な説明であること、又は開示された形態に実施形態を限定することを意図していない。当業者には、多数の修正例及び変形例が明らかであろう。さらに、種々の例示的な実施形態は、他の例示的な実施形態に照らして別の機能を提供することができる。選択された一又は複数の実施形態は、実施形態の原理、実際の用途を最もよく説明するため、及び他の当業者に対し、様々な実施形態の開示内容と、考慮される特定の用途に適した様々な修正との理解を促すために選択及び記述されている。
【符号の説明】
【０１７７】
７００    客室
７０１    客室
７０２    ネットワーク
７０４    ネットワーク
７０６    送信機
７０８    受信機
７１０    受信機
７１２    送信機
７１４    受信機
７１６    構造物
７１８    境界
７２０    エリア
７２２    エリア
７２４    壁
７２６    開口部
７２８    開口部
７３０    カーテン
７３２    経路
７３４    壁
７３６    経路
７４０    壁の面
７４２    壁の面
７４４    調理室の面
７４６    調理室
７４８    化粧室の面
７５０    化粧室
７５２    化粧室の面
７５４    化粧室
７５６    経路
７５７    経路
７６０    化粧室の面
７６２    調理室の面
７６４    化粧室の面
７６８    調理室の面
７７０    調理室の面
８００    胴体
８０２    航空機
８０４    客室エリア
８０６    貨物エリア
８０８    上部エリア
８１０    境界
９００    パネル
９０２    抵抗性層
９０４    第１表面板
９０６    コア
９０８    第２表面板
９１０    導電性層
９１２    送信機
９１３    客室エリア
９１４    経路
９１６    受信機
９１８    エリア
１０００    パネル
１００２    第１表面板
１００４    コア
１００６    第２表面板
１００８    周波数選択性層
１０１０    エリア
１０１２    エリア
１０１４    無線ネットワーク
１０１６    送信機
１０１８    受信機
１０２０    受信機
１０２２    無線ネットワーク
１０２４    送信機
１０２６    受信機
１０２８    無線ネットワーク
１０３０    送信機
１０３２    受信機
１０３４    受信機
１０３６    無線ネットワーク
１０３８    送信機
１０４０    受信機
１１００    構造物
１１０２    収納庫
１１０４    コンポーネント
１１０６    シュラウド
１１０８    収納庫蓋
１１１０    反射性層
１２００    乗客シート
１２０２    導電性シュラウド
１２０４    外張り材
１２０６    発泡材
１３００    壁
１３０６    開口部
１３０８    開口部
１３１４    還流空気グリル
１３１６    還流空気グリル
１３１８    格子
１３２０    導電性素子
１４００    パネル
１４０２    パネル
１４０３    ギャップ
１４０４    ガスケット
１４０６    端部
１４０８    壁
１４１０    抵抗性コーティング
１４１２    エリア
１４１４    エリア
【図１】
0006165476.tif 000002
【図２】
0006165476.tif 000003
【図３】
0006165476.tif 000004
【図４】
0006165476.tif 000005
【図５】
0006165476.tif 000006
【図６】
0006165476.tif 000007
【図７】
0006165476.tif 000008
【図８】
0006165476.tif 000009
【図９】
0006165476.tif 000010
【図１０】
0006165476.tif 000011
【図１１】
0006165476.tif 000012
【図１２】
0006165476.tif 000013
【図１３】
0006165476.tif 000014
【図１４】
0006165476.tif 000015
【図１５】
0006165476.tif 000016
【図１６】
0006165476.tif 000017
【図１７】
0006165476.tif 000018
【図１８】
0006165476.tif 000019
【図１９】
0006165476.tif 000020
【図２０】
0006165476.tif 000021